(57)【特許請求の範囲】
【請求項１】
少なくともコイルを含む回路で構成された複数のタグと、
コイルを含み、前記複数のタグを非接触で認識するＩＤコントローラと、
前記複数のタグの識別情報及びタグに対応するデータを格納する記憶手段を含むサーバコントローラと、を備えた仮想ＩＤ装置であって、
前記タグは、前記ＩＤコントローラから放射されるタグ識別用電磁波の周波数に共振する共振手段のみを備えるとともに、
前記ＩＤコントローラ及びサーバコントローラは、前記複数のタグの識別情報または前記データを伝送する伝送手段を備え、
前記サーバコントローラは、前記ＩＤコントローラが前記共振手段により検出した複数のタグの識別情報に基づいてそれぞれのタグに対応した前記識別情報を前記記憶手段に格納することを特徴とする仮想ＩＤ装置。
【請求項２】
前記共振手段は、少なくとも１以上のコイルとコンデンサを並列に接続したＬＣタンク回路で構成することを特徴とする請求項１記載の仮想ＩＤ装置。
【請求項３】
前記ＩＤコントローラは、さらにタグを検出するためのタグ識別用電磁波の周波数をスイープするスイープ回路を含むことを特徴とする請求項１記載の仮想ＩＤ装置。
【発明の詳細な説明】
【０００１】
【発明の属する技術分野】
本発明はタグ、ＩＤコントローラ、サーバコントローラを備えた非接触のＦＡ（Factory Automation）用の仮想ＩＤ装置に係り、特にタグのデータをタグ内に持たせずにサーバコントローラに格納した仮想ＩＤ装置およびそのタグデータ格納方法に関する。
【０００２】
【従来の技術】
タグ（記憶媒体）を組立ラインの部品や製品の表面または内部に搭載し、組立ラインにリーダ／ライタを配置することにより、非接触（電磁誘導や無線電波）でタグ内に記録されたデータを読み出したり、データを書き込んだりしてデータ管理を効率的に実行するＦＡ（Factory Automation）用の非接触ＩＤ装置が知られている。
【０００３】
図８に従来のタグ（記憶媒体）のブロック構成図を示す。図８において、タグ５０は、図示しないリーダ／ライタとの間で、電磁誘導によりデータの送信または受信を行なうコイル５１と、変復調部５３、制御ロジック５４、メモリ５５を備えたＩＣ５２とから構成される。
【０００４】
このように構成されたタグ５０は、リーダ／ライタから電磁誘導で供給される電源５６（交流信号を整流・平滑）で駆動され、同時に供給されるコマンド（要求信号）が受信され、制御ロジック５４を介してコマンド（要求信号）に対応したデータがメモリ５５から読み出され、変復調部５３で変調が施された後、コイル５３からデータが電磁誘導でリーダ／ライタに送信される。
【０００５】
一方、リーダ／ライタから電磁誘導でデータが供給されると、変復調部５３で復調が施され、制御ロジック５４を介してデータがメモリ５５に書き込まれる。
【０００６】
このように、従来のタグ（記憶媒体）は、リーダ／ライタと電磁誘導でデータの交信を行い、バッテリも必要とせず、小型で、かつ軽量に構成されるので、リーダ／ライタと組み合わせて非接触ＩＤ装置が実現されている。なお、コイルを用いた電磁誘導を利用する代わりに、長距離用として大型アンテナを用いた非接触ＩＤ装置も実用化されている。
【０００７】
【発明が解決しようとする課題】
従来のＦＡ（Factory Automation）用の非接触ＩＤ装置は、タグにワンチップＩＣが内蔵されているため、組立ラインの部品や製品にタグを搭載し、高温雰囲気の工程（例えば、車両の塗装・乾燥）を通過させるような場合には、タグのデータ化けが発生したり、あるいはワンチップＩＣが熱破壊されたり、動作不良が発生する虞がある。
【０００８】
また、従来のタグは、リーダ／ライタから電磁誘導で電源が供給されて動作し、データの送受信を行なう構成のため、交信可能なリーダ／ライタまでの距離に制限（例えば、数センチメートル）があり、また、データの送受信に時間を要するために交信処理スピードが落ちるので、組立ラインにおけるリーダ／ライタの配置に制約がある。
【０００９】
さらに、タグにワンチップＩＣを内蔵するため、タグのコストアップを招く課題や、メモリ容量の拡張などが必要な場合には、タグを含めた装置全体を入れ替えなければならない課題もある。
【００１０】
この発明はこのような課題を解決するためになされたもので、その目的は単純な構成で、耐熱性ならびに経済性に優れたタグを用い、交信距離が長く、かつ交信処理の高速化が図れる拡張性に優れた仮想ＩＤ装置およびそのタグデータ格納方法を提供することにある。
【００１１】
【課題を解決するための手段】
前記課題を解決するためこの発明に係る仮想ＩＤ装置は、少なくともコイルを含む回路で構成された複数のタグと、コイルを含み、複数のタグを非接触で認識するＩＤコントローラと、複数のタグの識別情報及びタグに対応するデータを格納する記憶手段を含むサーバコントローラとを備えたもので、タグは、ＩＤコントローラから放射されるタグ識別用電磁波の周波数に共振する共振手段のみを備えるともに、ＩＤコントローラ及びサーバコントローラは、複数のタグの識別情報またはデータを伝送する伝送手段を備え、サーバコントローラは、ＩＤコントローラが共振手段により検出した複数のタグの識別情報に基づいてそれぞれのタグに対応した識別情報を記憶手段に格納することを特徴とする。
【００１２】
この発明に係る仮想ＩＤ装置は、タグにタグ識別用電磁波の周波数に共振する共振手段のみを搭載し、タグに対応したデータはサーバコントローラに格納するので、タグの単純化を図るとともに、耐熱性ならびに経済性に優れ、かつタグに電源を供給する必要がないので、長距離化と交信処理の高速化を実現することができる。また、サーバコントローラにタグのデータを集約して格納するので、タグの増設やぞれぞれのタグに必要なデータ量の増加にも容易に対応することができ、ＦＡ（Factory Automation）におけるシステム構築の拡張性に優れ、装置の共通化を実現することができる。
【００１４】
また、この発明に係るサーバコントローラは、複数のタグに対応したデータを格納するデータ格納手段を備えたので、タグから物理的にメモリを分離した各タグに対応したデータのメモリ容量を自由に設定することができ、メモリの拡張やタグの増設に対応することができる。
【００１５】
また、この発明に係るＩＤコントローラは、さらにタグを検出するためのタグ識別用電磁波の周波数をスイープするスイープ回路を含むことを特徴とする。
【００２４】
【発明の実施の形態】
以下、この発明の実施の形態を添付図面に基づいて説明する。図１はこの発明に係る仮想ＩＤ装置の実施の形態基本ブロック構成図である。図１において、仮想ＩＤ装置１は、サーバコントローラ２と、上位機器Ｕ１〜Ｕｎに接続されたＩＤコントローラＩ１〜Ｉｎと、各ＩＤコントローラＩ１〜Ｉｎの検出対象となるタグＴA1〜ＴAk，…，ＴN1〜ＴNkとから構成する。
【００２５】
サーバコントローラ２は、マイクロプロセッサを基本に各種処理機能、制御機能、インタフェース、メモリ等で構成し、サーバ制御手段３、データ格納手段４、無線インタフェース５、ネットワークインタフェース６を備え、ＩＤコントローラＩ１〜Ｉｎとの間で、タグＴA1〜ＴAk，…，ＴN1〜ＴNkの識別情報および識別情報に対応したデータを無線で交信し、データ格納手段４に書き込むとともに、データ格納手段４から読み出してＩＤコントローラＩ１〜Ｉｎに伝送する。
【００２６】
サーバ制御手段３は、データ格納手段４、無線インタフェース５およびネットワークインタフェース６のサーバコントローラ２全体の動作を制御する。
【００２７】
また、サーバ制御手段３は、無線インタフェース５から供給されるタグＴA1〜ＴAk，…，ＴN1〜ＴNkの識別情報および識別情報に対応したデータをデータ格納手段４に供給し、記憶させる（書込み）制御を行なう。
【００２８】
さらに、サーバ制御手段３は、無線インタフェース５を介して供給されるデータ要求情報に対応したタグＴA1〜ＴAk，…，ＴN1〜ＴNkのデータをデータ格納手段４から読み出し、無線インタフェース５を介してＩＤコントローラＩ１〜Ｉｎに送信する制御を行なう。
【００２９】
また、サーバ制御手段３は、データ格納手段４からタグＴA1〜ＴAk，ＴN1〜ＴNkの識別情報および識別情報に対応したデータを読み出し、ネットワークインタフェース６を介してＬＡＮネットワーク１２に伝送する制御を行なう。
【００３０】
データ格納手段４は、書換え可能なＲＡＭ等のメモリで構成し、サーバ制御手段３からの書込み命令によってタグＴA1〜ＴAk，…，ＴN1〜ＴNkの識別情報および識別情報に対応したデータを、タグＴA1〜ＴAk，…，ＴN1〜ＴNkに設定されたメモリ領域に記憶する。
【００３１】
また、データ格納手段４は、サーバ制御手段３からの読出し命令によってメモリ領域からタグＴA1〜ＴAk，…，ＴN1〜ＴNkの識別情報に対応したデータを出力する。
【００３２】
無線インタフェース５は、送受信アンテナ、送受信回路、変／復調回路等で構成し、サーバ制御手段３の制御によってＩＤコントローラＩ１〜Ｉｎの無線インタフェース９との間で、タグＴA1〜ＴAk，…，ＴN1〜ＴNkの識別情報および識別情報に対応したデータを無線で交信する。
【００３３】
ネットワークインタフェース６は、符号器／復号器（コーデック：ＣＯＤＥＣ）等を備え、他のＩＤ装置が接続されたＬＡＮなどのネットワークと接続してリンクさせ、データ格納手段４に記憶されたタグＴA1〜ＴAk，…，ＴN1〜ＴNkの識別情報および識別情報に対応したデータがＬＡＮネットワーク１２を介して図示しないデータ管理装置に伝送される。これにより、他のＩＤ装置から伝送されるデータとともにＦＡ（Factory Automation）用データが集中管理される。
【００３４】
ＩＤコントローラＩ１〜Ｉｎは、マイクロプロセッサを基本に各種処理機能、検出機能、メモリ等で構成し、それぞれＩＤ制御手段７、タグ検出手段８、無線インタフェース９を備え、パーソナルコンピュータ等で構成された上位機器Ｕ１〜Ｕｎの要求情報に基づいてタグＴA1〜ＴAk，…，ＴN1〜ＴNkを非接触（電磁誘導）で検出してタグ固有の識別情報（ＩＤ番号）を付与し、識別情報および識別情報に対応したデータを無線でサーバコントローラ２に送信するとともに、サーバコントローラ２に格納された各タグの識別情報に対応したデータを受信して上位機器Ｕ１〜Ｕｎに供給する。
【００３５】
ＩＤ制御手段７は、タグ検出手段８および無線インタフェース９のＩＤコントローラＩ１〜Ｉｎ全体の動作を制御する。
【００３６】
また、ＩＤ制御手段７は、タグ検出手段８が検出したタグＴA1〜ＴAk，…，ＴN1〜ＴNkの識別情報を取り込み、メモリに一時記憶させ、無線インタフェース９を介してサーバコントローラ２に送信する制御を行なうとともに、上位機器Ｕ１〜Ｕｎに伝送する。
【００３７】
さらに、ＩＤ制御手段７は、上位機器Ｕ１〜Ｕｎからのデータ書込み要求に基づいて識別情報とデータを一時記憶させ、無線インタフェース９を介してサーバコントローラ２に送信するとともに、上位機器Ｕ１〜Ｕｎからのデータ読出し要求に基づいて識別情報に対応したデータを無線インタフェース９を介してサーバコントローラ２から受信する制御を行ない、上位機器Ｕ１〜Ｕｎに伝送する。
【００３８】
タグ検出手段８は、周波数掃引型の発振回路、発振コイル、レベル検出回路、コンパレータ等で構成し、周期的に周波数をスイープして一定レベルのタグ識別用電磁波を発振コイルから放射し、特定の周波数に共振するタグの存在によって発振回路のインピーダンスが変化し、タグ識別用電磁波のレベルが減少することをコンパレータで検出することによりタグの識別情報を、例えば２進符号で検出する。
【００３９】
無線インタフェース９は、送受信アンテナ、送受信回路、変／復調回路等で構成し、ＩＤ制御手段７の制御によってサーバコントローラ２の無線インタフェース５との間で、タグＴA1〜ＴAk，…，ＴN1〜ＴNkの識別情報および識別情報に対応したデータを無線で交信する。
【００４０】
タグＴA1〜ＴAk，…，ＴN1〜ＴNkは、それぞれ１個または複数個のＬＣタンク（共振）回路で構成し、ＩＤコントローラＩ１〜Ｉｎのタグ検出手段８から放射されるタグ識別用電磁波の周波数に共振する。
【００４１】
図２はこの発明に係るタグの実施の形態共振回路図である。（ａ）図に１個の共振回路で構成したタグ、（ｂ）図にｎ個の共振回路で構成したタグを示す。（ａ）図において、タグは受動素子であるインダクタンスＬkiのコイルと静電容量Ｃkiのコンデンサが並列接続されたタンク回路で構成する。このタンク回路の共振周波数ｆoiは、１／{２π（Ｌki・Ｃki）１／２}で表わされる。
【００４２】
従って、図１に示すタグ検出手段８から周波数ｆoiのタグ識別用電磁波が放射されると、ＬＣ（ＬkiＣki）タンク回路がタグ識別用電磁波に共振（同調）し、タグ検出手段８は、共振周波数ｆoiのタグを検出することができる。
【００４３】
（ｂ）図において、タグはインダクタンスＬk1のコイルと静電容量Ｃk1のコンデンサが並列接続されたタンク回路，…，インダクタンスＬknのコイルと静電容量Ｃknのコンデンサが並列接続されたタンク回路のｎ個のタンク回路で構成する。これらのタンク回路の共振周波数は、それぞれｆo1＝１／{２π（Ｌk1・Ｃk1）１／２}，…，ｆon＝１／{２π（Ｌkn・Ｃkn）１／２}で表わされる。
【００４４】
従って、図１に示すタグ検出手段８から周波数ｆo1，…，ｆonのタグ識別用電磁波が放射されると、ＬＣ（Ｌk1Ｃk1〜ＬknＣkn）タンク回路がタグ識別用電磁波に共振（同調）し、タグ検出手段８は、共振周波数ｆo1，…，ｆonのタグを検出することができる。
【００４５】
図３はこの発明に係るタグ識別用電磁波の周波数とタグの検出レベルの関係図である。（ａ）図にタグ識別用電磁波の周波数の時間特性図、（ｂ）図に検出レベルの時間特性図を示す。なお、（ａ）図および（ｂ）図の時間軸は共通である。
【００４６】
（ａ）図において、タグ識別用電磁波の周波数は、時間ｔ1〜ｔnに対応してｆo1〜ｆonと掃引（スイープ）し、周期的に繰り返す。なお、周波数ｆo1，ｆo2，…，ｆonのタグ識別用電磁波は、時間ｔ1，ｔ2，…，ｔnの等間隔（ｔ2−ｔ1＝一定値２ΔＴ）で発生する。
【００４７】
また、（ｂ）図において、時間ｔ1で周波数ｆo1にＬＣタンク回路のタグが共振すると、図１に示すタグ検出手段８は、波形整形した、例えば時間幅ΔＴのワンショットパルスを発生する。同様に、時間ｔ2，…，ｔnでそれぞれ周波数ｆo2，…，ｆonにＬＣタンク回路のタグが共振すると、それぞれ時間幅ΔＴのワンショットパルスを発生する。
【００４８】
時間ｔ1，…，ｔnで発生する時間幅ΔＴのワンショットパルスを２進符号としてタグの識別情報を形成する。図４は２進４ビットの識別情報を形成するタグの構成図である。図４において、タグＴA1〜ＴA15は、それぞれ共振周波数ｆo1，ｆo2，ｆo3，ｆo4のＬＣタンク回路を１個から４個で構成する。
【００４９】
タグＴA1は共振周波数ｆo1のＬＣタンク回路を１個、タグＴA2は共振周波数ｆo2のＬＣタンク回路を１個、タグＴA3は共振周波数ｆo3のＬＣタンク回路を１個、タグＴA4は共振周波数ｆo4のＬＣタンク回路を１個のみ備える。
【００５０】
タグＴA5〜ＴA10は、共振周波数ｆo1，ｆo2，ｆo3，ｆo4のタンク回路をそれぞれ２個づつ備え、タグＴA11〜ＴA14は共振周波数ｆo1，ｆo2，ｆo3，ｆo4のタンク回路をそれぞれ３個づつ備える。タグＴA16は共振周波数ｆo1，ｆo2，ｆo3，ｆo4のタンク回路を４個全て備える。このように、４種類のタンク回路の組合せにより１５個のタグＴA1〜タグＴA15のタグを構成することができる。
【００５１】
そして、２進４ビットの１ビット〜４ビットに共振周波数ｆo1〜ｆo4を割り当てて処理をすることにより、タグＴA1の識別情報は「０００１」、タグＴA2の識別情報は「００１０」、…、タグＴA15の識別情報は「１１１１」で検出することができる。なお、識別情報「００００」は、ＬＣタンク回路が無い状態、つまりタグが存在しないことを検出する。
【００５２】
一般に、ｎ種類の共振周波数を有するＬＣタンク回路の組合せで構成されるタグの数は、２ｎ−１個となる。
【００５３】
図５はこの発明に係るデータ格納手段のメモリ領域の一実施の形態イメージ図である。図５において、データ格納手段４のメモリ領域は、図４に示すタグＴA1〜ＴA15を例にすると、タグＴA1〜ＴA15を識別する識別情報「０００１」〜「１１１１」と、識別情報「０００１」〜「１１１１」に対応したデータエリアＤA1〜ＤA15と、メモリの空き領域である空きデータエリアを有する。
【００５４】
識別情報「０００１」〜「１１１１」とデータエリアＤA1〜ＤA15は、対にして予め想定されるメモリ容量を設定しておき、空きデータエリアは、データエリアＤA1〜ＤA15が設定したメモリ容量をオーバする場合、タグ数を増設する場合に利用する。なお、空きデータエリアは、予めメモリ容量に余裕を持たせて大きなメモリで構成してもよいし、増設メモリとして追加してもよい。
【００５５】
図６はこの発明に係る仮想ＩＤ装置の別実施の形態要部ブロック構成図である。図６において、サーバコントローラ２に無線インタフェース５に代えて有線インタフェース１０、ＩＤコントローラＩ１〜Ｉｎに無線インタフェース９に代えて有線インタフェース１１を設け、有線インタフェース１０と有線インタフェース１１間を有線回線Ｌ１〜Ｌｎで接続した点のみが図１と異なる。
【００５６】
このように、この発明に係る仮想ＩＤ装置１は、タグＴA1〜ＴAk，…，ＴN1〜ＴNkにタグ識別用電磁波の周波数に共振する共振手段のみを搭載し、タグに対応したデータはサーバコントローラ２に格納するので、タグＴA1〜ＴAk，…，ＴN1〜ＴNkの単純化を図るとともに、耐熱性ならびに経済性に優れ、長距離化と交信処理の高速化を実現することができる。また、サーバコントローラ２にタグのデータを集約して格納するので、タグの増設やぞれぞれのタグに必要なデータ量の増加にも容易に対応することができ、ＦＡ（Factory Automation）におけるシステム構築の拡張性に優れ、装置の共通化を実現することができる。
【００５７】
また、この発明に係るサーバコントローラ２は、複数のタグＴA1〜ＴAk，…，ＴN1〜ＴNkに対応したデータを格納するデータ格納手段４を備えたので、タグから物理的にメモリを分離して各タグに対応したデータのメモリ容量を自由に設定することができ、メモリの拡張やタグの増設に対応することができる。
【００５８】
さらに、この発明に係る共振手段は、ＬＣタンク回路で構成し、ＩＤコントローラＩ１〜Ｉｎから放射されるタグ識別用電磁波の周波数ｆo1〜ｆonに共振してタグを識別させるので、ＩＤコントローラＩ１〜ＩｎとタグＴA1〜ＴAk，…，ＴN1〜ＴNk間の距離が長くてもタグを識別することができる。また、受動素子であるＬ（コイル）とＣ（コンデンサ）のＬＣタンク回路（並列回路）のみでタグを単純な構成にするので、耐熱性を向上させ、経済化を実現することができる。
【００５９】
また、この発明に係るサーバコントローラ２およびＩＤコントローラＩ１〜Ｉｎは、複数のタグＴA1〜ＴAk，…，ＴN1〜ＴNkの識別情報またはデータを無線、または有線で伝送する無線インタフェース５，９または有線インタフェース１０，１１をそれぞれ備えたので、サーバコントローラ２の設置場所を自由に設定することができ、データ保存を最適な環境にすることができる。
【００６０】
さらに、この発明に係るサーバコントローラ２は、他のＩＤ装置が接続されるネットワーク１２とのネットワークインタフェース６を備えたので、工場内ＬＡＮを介して他のＩＤ装置とリンクすることができ、ＦＡ用の生産・管理データを効率的に集中管理することができる。
【００６１】
次に、仮想ＩＤ装置のタグデータ格納方法について説明する。図７はこの発明に係る仮想ＩＤ装置のタグデータ格納方法の一実施の形態動作フロー図である。図７において、ステップＳ１では、タグを検出するためのタグ識別用電磁波の周波数を周期的にスイープ（掃引）する。なお、ステップＳ１の動作は、タグ検出手段８が実行する。
【００６２】
ステップＳ２では、タグに搭載されたＬＣタンク回路がタグ識別用電磁波の周波数に共振する。なお、ステップＳ２の動作は、タグＴA1〜ＴAk，…，ＴN1〜ＴNkが実行する。
【００６３】
ステップＳ３では、タグＴA1〜ＴAk，…，ＴN1〜ＴNkの共振を検出し、共振した特定タグＴA1〜ＴAk，…，ＴN1〜ＴNkの識別情報を、例えば２進符号で識別する。なお、ステップＳ３の動作は、タグ検出手段８が実行する。
【００６４】
続いて、ステップＳ４では、特定タグＴA1〜ＴAk，…，ＴN1〜ＴNkの識別情報を送信する。なお、ステップＳ４の動作は、ＩＤコントローラＩ１〜Ｉｎの無線インタフェース９または有線インタフェース１１が実行する。
【００６５】
ステップＳ５では、特定タグＴA1〜ＴAk，…，ＴN1〜ＴNkの識別情報を受信する。なお、ステップＳ５の動作は、サーバコントローラ２の無線インタフェース５または有線インタフェース１０が実行する。
【００６６】
ステップＳ６では、特定タグＴA1〜ＴAk，…，ＴN1〜ＴNkの識別情報を格納するメモリ領域があるか否かを判定し、メモリ領域がある場合にはステップＳ７に移行する。一方、メモリ領域がない場合にはステップＳ８に移行する。なお、ステップＳ６の動作は、サーバ制御手段３が実行する。
【００６７】
ステップＳ７では、タグＴA1〜ＴAk，…，ＴN1〜ＴNkの識別情報とデータをメモリに書き込む。なお、ステップＳ７の動作は、サーバ制御手段３およびデータ格納手段４が実行する。
【００６８】
ステップＳ８では、サーバコントローラ２へのタグデータ書込み制御のリセット動作を行なう。なお、ステップＳ８の動作は、サーバ制御手段３およびＩＤ制御手段７が実行する。
【００６９】
このように、この発明に係る仮想ＩＤ装置のタグデータ格納方法は、タグを検出するためのタグ識別用電磁波の周波数をスイープするステップＳ１と、タグがタグ識別用電磁波の周波数に共振するステップＳ２と、共振を検出して特定のタグを識別するステップＳ３と、識別したタグの識別情報を送信するステップＳ４と、特定タグの識別情報を受信するステップＳ５、識別情報のメモリ領域の有無を判定するステップＳ６、タグデータをメモリに書き込む（格納する）ステップＳ７を備え、各タグからメモリを分離してデータの集中管理をするので、メモリ領域を自由に設定してメモリの増設やタグの増設に容易に対応することができ、利便性の向上を図ることができる。
【００７０】
【発明の効果】
以上説明したように、この発明に係る仮想ＩＤ装置は、タグにタグ識別用電磁波の周波数に共振する共振手段のみを搭載し、タグに対応したデータはサーバコントローラに格納するので、タグの単純化を図るとともに、耐熱性ならびに経済性に優れ、長距離化と交信処理の高速化を実現することができる。また、サーバコントローラにタグのデータを集約して格納するので、タグの増設やぞれぞれのタグに必要なデータ量の増加にも容易に対応することができ、ＦＡ（Factory Automation）におけるシステム構築の拡張性に優れ、装置の共通化を実現することができる。
【００７１】
また、この発明に係るサーバコントローラは、複数のタグに対応したデータを格納するデータ格納手段を備えたので、タグから物理的にメモリを分離して各タグに対応したデータのメモリ容量を自由に設定することができ、メモリの拡張やタグの増設に対応することができる。
【００７２】
さらに、この発明に係る共振手段は、ＬＣタンク回路で構成し、ＩＤコントローラから放射されるタグ識別用電磁波の周波数に共振してタグを識別させるので、ＩＤコントローラとタグ間の距離が長くてもタグを識別することができる。また、受動素子であるＬ（コイル）とＣ（コンデンサ）のタンク回路（並列回路）のみでタグを単純な構成にするので、耐熱性を向上させ、経済化を実現することができる。
【図面の簡単な説明】
【図１】この発明に係る仮想ＩＤ装置の実施の形態基本ブロック構成図
【図２】この発明に係るタグの実施の形態共振回路図
【図３】この発明に係るタグ識別用電磁波の周波数とタグの検出レベルの関係図
【図４】２進４ビットの識別情報を形成するタグの構成図
【図５】この発明に係るデータ格納手段のメモリ領域の一実施の形態イメージ図
【図６】この発明に係る仮想ＩＤ装置の別実施の形態要部ブロック構成図
【図７】この発明に係る仮想ＩＤ装置のタグデータ格納方法の一実施の形態動作フロー図
【図８】従来のタグ（記憶媒体）のブロック構成図
【符号の説明】
１  仮想ＩＤ装置
２  サーバコントローラ
３  サーバ制御手段
４  データ格納手段
５，９  無線インタフェース
６  ネットワークインタフェース
７  ＩＤ制御手段
８  タグ検出手段
１０，１１  有線インタフェース
１２  ＬＡＮネットワーク
Ｉ１〜Ｉｎ  ＩＤコントローラ
Ｌ１〜Ｌｎ  有線回線
ＴA1〜ＴAk，…，ＴN1〜ＴNk  タグ
Ｕ１〜Ｕｎ  上位機器
【図１】
0003692964.tif 000002
【図２】
0003692964.tif 000003
【図３】
0003692964.tif 000004
【図４】
0003692964.tif 000005
【図５】
0003692964.tif 000006
【図６】
0003692964.tif 000007
【図７】
0003692964.tif 000008
【図８】
0003692964.tif 000009